【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
組織を支持するための機器であって、該機器は、
第１および第２の取付け部材と、その間に配置される少なくとも１つの拡張可能部材とを備え、
該拡張可能部材は、非拡張構成および拡張構成を有し、
該拡張可能部材は、該取付け部材のうちの１つ以上への第１の力の適用によって、それの非拡張構成からそれの拡張構成に変化し、
該機器は、該拡張可能部材がそれの拡張構成にある際に、該組織に支持力を適用するように構成される、機器。
【請求項２】
前記組織は、尿道組織である、請求項１に記載の機器。
【請求項３】
前記取付け部材のうちの１つ以上は、前記第１の力を第２の力に変換するように構成される、請求項１に記載の機器。
【請求項４】
前記第２の力は、前記第１の力に実質的に垂直である、請求項３に記載の機器。
【請求項５】
前記第２の力は、引張力である、請求項３に記載の機器。
【請求項６】
前記拡張可能部材は、形状記憶材料を備える、請求項１に記載の機器。
【請求項７】
前記拡張可能部材は、刺激反応性材料を備える、請求項１に記載の機器。
【請求項８】
前記拡張可能部材は、形状回復材料を備える、請求項１に記載の機器。
【請求項９】
前記拡張可能部材は、第２のヒンジ部分に取付けられる第１のヒンジ部分を備える、請求項１に記載の機器。
【請求項１０】
前記拡張可能部材は、基部に取付けられる第１および第２のヒンジ部分を備える、請求項１に記載の機器。
【請求項１１】
前記拡張可能部材は、前記第１および第２のヒンジ部分に取付けられる拡張可能膜をさらに備える、請求項１０に記載の機器。
【請求項１２】
前記拡張可能部材は、前記第１のヒンジ部分に取付けられる第３のヒンジ部分と、前記第２のヒンジ部分に取付けられる第４のヒンジ部分とをさらに備える、請求項１０に記載の機器。
【請求項１３】
前記拡張可能部材は、拡張可能膜を備える、請求項１に記載の機器。
【請求項１４】
前記拡張可能部材は、１つ以上の柔軟なフラップを備える、請求項１に記載の機器。
【請求項１５】
前記拡張可能部材は、メッシュを備える、請求項１に記載の機器。
【請求項１６】
前記拡張可能部材は、それの非拡張構成にある際に、実質的に平坦である、請求項１に記載の機器。
【請求項１７】
前記拡張可能部材は、それの拡張構成にある際に、略台形である、請求項１に記載の機器。
【請求項１８】
前記拡張可能部材は、カバーを備える、請求項１に記載の機器。
【請求項１９】
前記カバーは、シリコーンを含む、請求項１８に記載の機器。
【請求項２０】
前記取付け部材のうちの１つ以上は、１つ以上の組織または合成材料を備える、請求項１に記載の機器。
【請求項２１】
前記取付け部材のうちの１つ以上は、メッシュを備える、請求項１に記載の機器。
【請求項２２】
前記取付け部材のうちの１つ以上は、ポリプロピレンを含む、請求項１に記載の機器。
【請求項２３】
前記取付け部材のうちの１つ以上は、固定部品を備える、請求項１に記載の機器。
【請求項２４】
前記取付け部材のうちの１つ以上は、前記固定部品を前記拡張可能部材に連結するための少なくとも１つの連結部材を備える、請求項２３に記載の機器。
【請求項２５】
前記第１および第２の取付け部材は、略長方形である、請求項１に記載の機器。
【請求項２６】
前記第１および第２の取付け部材は、各々、幅が約１ｃｍと約４ｃｍとの間であり、長さが約５ｃｍと約２０ｃｍとの間である、請求項２５に記載の機器。
【請求項２７】
前記取付け部材のうちの１つ以上は、組織の内部成長を促進する、請求項１に記載の機器。
【請求項２８】
組織を支持するための機器であって、
身体組織に取付けるための少なくとも１つの取付け部材と、
該少なくとも１つの取付け部材に連結される少なくとも１つの非膨張式の拡張可能部材であって、非拡張構成および拡張構成を有する、拡張可能部材と、
を備え、それの拡張構成における該拡張可能部材は、該組織に支持を提供するように構成される、機器。
【請求項２９】
前記組織は、尿道組織である、請求項２８に記載の機器。
【請求項３０】
前記拡張可能部材は、該拡張可能部材への少なくとも１つの刺激の適用時に、それの非拡張構成からそれの拡張構成に変化するように構成される、請求項２８に記載の機器。
【請求項３１】
前記少なくとも１つの刺激は、温度変化、ｐＨ変化、光学的刺激、およびそれらの組み合わせから成る群から選択される、請求項２８に記載の機器。
【請求項３２】
前記少なくとも１つの刺激は、ＲＦエネルギー、マイクロ波エネルギー、電気エネルギー、磁気エネルギー、機械的エネルギー、およびそれらの組み合わせから成る群から選択される、請求項２８に記載の機器。
【請求項３３】
組織を支持するための機器であって、
身体組織に取付けるための少なくとも１つの取付け部材と、
少なくとも１つの非膨張式の拡張可能部材であって、非拡張構成および拡張構成を有する、拡張可能部材と
を備え、該少なくとも１つの取付け部材は、該拡張可能部材を拡張するために、初期の力を引張力に変換するように構成される、機器。
【請求項３４】
１つ以上の取付け部材と、その間の非膨張式の形状変化部分とを備え、
該形状変化部分は、第１の構成および第２の構成を有し、該第２の構成は、該第１の構成とは異なる形状を有し、
該形状変化部分は、該形状変化部分への少なくとも１つの刺激の適用時に、該第１の構成から該第２の構成に変化し、
該少なくとも１つの刺激は、該１つ以上の取付け部材によって提供されない、吊り紐。
【請求項３５】
前記形状変化部分は、前記少なくとも１つの刺激の適用時に、長さが増加する部材を備える、請求項３４に記載の機器。
【請求項３６】
前記形状変化部分は、前記少なくとも１つの刺激の適用時に、長さが減少する部材を備える、請求項３４に記載の機器。
【請求項３７】
前記少なくとも１つの刺激のうちの１つ以上は、温度変化、ｐＨ変化、光学的刺激、およびそれらの組み合わせから成る群から選択される、請求項３４に記載の機器。
【請求項３８】
前記少なくとも１つの刺激のうちの１つ以上は、ＲＦエネルギー、マイクロ波エネルギー、電気エネルギー、磁気エネルギー、機械的エネルギー、およびそれらの組み合わせから成る群から選択される、請求項３４に記載の機器。
【請求項３９】
前記少なくとも１つの刺激のうちの１つ以上は、物理的な力である、請求項３４に記載の機器。
【請求項４０】
前記形状変化部分は、第１および第２の形状記憶材料を含む、請求項３４に記載の機器。
【請求項４１】
前記少なくとも１つの刺激は、第１の刺激および第２の刺激を含み、前記形状変化部分は、前記第１の形状記憶材料への該第１の刺激の適用時に、前記第１の構成から前記第２の構成に変化し、該形状変化部分は、前記第２の形状記憶材料への該第２の刺激の適用時に、該第２の構成から該第１の構成に変化する、請求項４０に記載の機器。
【請求項４２】
前記形状変化部分は、板バネを備える、請求項３４に記載の機器。
【請求項４３】
前記形状変化部分は、ニッケル−チタン合金を含む、請求項３４に記載の機器。
【請求項４４】
患者における組織を支持するためのシステムであって、
該患者に埋め込まれるように構成される機器を備え、
該機器は、第１および第２の取付け部材と、その間に配置されるように構成される少なくとも１つの拡張可能部材とを備え、該拡張可能部材は、非拡張構成および拡張構成を有し、該少なくとも１つの拡張可能部材は、該取付け部材のうちの１つ以上への力の適用によって、それの非拡張構成からそれの拡張構成に変化し、
該少なくとも１つの拡張可能部材は、該組織の下に配置されるように構成される、システム。
【請求項４５】
前記組織は、尿道組織である、請求項４４に記載のシステム。
【請求項４６】
前記取付け部材のうちの１つ以上は、軟組織に取付けられるように構成される、請求項４４に記載のシステム。
【請求項４７】
前記取付け部材のうちの１つ以上は、骨盤骨構造に取付けられるように構成される、請求項４４に記載のシステム。
【請求項４８】
前記機器は、経膣手法を使用して埋め込まれるように構成される、請求項４４に記載のシステム。
【請求項４９】
前記機器は、経会陰手法を使用して埋め込まれるように構成される、請求項４４に記載のシステム。
【請求項５０】
前記第１の取付け部材は、第１の閉鎖孔を通過するように構成され、前記第２の取付け部材は、第２の閉鎖孔を通過するように構成される、請求項４４に記載のシステム。
【請求項５１】
前記第１の取付け部材の端部は、第１の閉鎖孔の内部または外部の組織に固定されるように構成され、前記第２の取付け部材の端部は、第２の閉鎖孔の内部または外部の組織に固定されるように構成される、請求項４４に記載のシステム。
【請求項５２】
前記機器は、前記第１および第２の取付け部材の各々の少なくとも一部分が恥骨後隙に位置するように配置されるように構成される、請求項４４に記載のシステム。
【請求項５３】
前記機器は、前記第１および第２の取付け部材の各々の少なくとも一部分が恥骨前隙に位置するように配置されるように構成される、請求項４４に記載のシステム。
【請求項５４】
患者における組織を支持するためのシステムであって、
該患者に埋め込まれるように構成される機器を備え、
該機器は、身体組織に取付けられるように構成される少なくとも１つの取付け部材と、該少なくとも１つの取付け部材に連結される少なくとも１つの非膨張式の拡張可能部材とを備え、該拡張可能部材は、非拡張構成および拡張構成を有し、それの拡張構成における該拡張可能部材は、該組織に支持を提供するように構成される、システム。
【請求項５５】
前記組織は、尿道組織である、請求項５４に記載のシステム。
【請求項５６】
患者の尿失禁を治療するためのシステムであって、
該患者に埋め込まれるように構成される機器を備え、
該機器は、身体組織に取付けられるように構成される少なくとも１つの取付け部材と、少なくとも１つの非膨張式の拡張可能部材であって、非拡張構成および拡張構成を有する、拡張可能部材とを備え、該少なくとも１つの取付け部材は、該拡張可能部材を拡張させるために、初期の力を引張力に変換するように構成される、システム。
【請求項５７】
前記拡張可能部材は、尿道組織の下に配置されるように構成される、請求項５６に記載のシステム。
【請求項５８】
組織を支持するためのシステムであって、
埋め込まれるように構成される機器を備え、
該機器は、１つ以上の取付け部材と、その間に非膨張式の形状変化部分とを備え、
該形状変化部分は、第１の構成および第２の構成を有し、該第２の構成は、該第１の構成とは異なる形状を有し、
該形状変化部分は、該形状変化部分への刺激の適用時に、該第１の構成から該第２の構成に変化し、
該刺激は、該１つ以上の取付け部材によって提供されない、システム。
【手続補正２】
【補正対象書類名】明細書
【補正対象項目名】００２６
【補正方法】変更
【補正の内容】
【００２６】
他の方法では、利用する機器は、１つ以上の取付け部材と、その間の非膨張式の形状変化部分とを備え、形状変化部分は、第１の構成および第２の構成を有し、形状変化部分は、形状変化部分への刺激の適用時に、第１の構成から第２の構成に変化する。これらの変形例では、刺激は、１つ以上の取付け部材によって提供されない。機器は、上述のような任意の様式で埋め込まれ得る。
例えば、本発明は以下の項目を提供する。
（項目１）
組織を支持するための機器であって、該機器は、
第１および第２の取付け部材と、その間に配置される少なくとも１つの拡張可能部材とを備え、
該拡張可能部材は、非拡張構成および拡張構成を有し、
該拡張可能部材は、該取付け部材のうちの１つ以上への第１の力の適用によって、それの非拡張構成からそれの拡張構成に変化し、
該機器は、該拡張可能部材がそれの拡張構成にある際に、該組織に支持力を適用するように構成される、機器。
（項目２）
上記組織は、尿道組織である、項目１に記載の機器。
（項目３）
上記取付け部材のうちの１つ以上は、上記第１の力を第２の力に変換するように構成される、項目１に記載の機器。
（項目４）
上記第２の力は、上記第１の力に実質的に垂直である、項目３に記載の機器。
（項目５）
上記第２の力は、引張力である、項目３に記載の機器。
（項目６）
上記拡張可能部材は、形状記憶材料を備える、項目１に記載の機器。
（項目７）
上記拡張可能部材は、刺激反応性材料を備える、項目１に記載の機器。
（項目８）
上記拡張可能部材は、形状回復材料を備える、項目１に記載の機器。
（項目９）
上記拡張可能部材は、第２のヒンジ部分に取付けられる第１のヒンジ部分を備える、項目１に記載の機器。
（項目１０）
上記拡張可能部材は、基部に取付けられる第１および第２のヒンジ部分を備える、項目１に記載の機器。
（項目１１）
上記拡張可能部材は、上記第１および第２のヒンジ部分に取付けられる拡張可能膜をさらに備える、項目１０に記載の機器。
（項目１２）
上記拡張可能部材は、上記第１のヒンジ部分に取付けられる第３のヒンジ部分と、上記第２のヒンジ部分に取付けられる第４のヒンジ部分とをさらに備える、項目１０に記載の機器。
（項目１３）
上記拡張可能部材は、拡張可能膜を備える、項目１に記載の機器。
（項目１４）
上記拡張可能部材は、１つ以上の柔軟なフラップを備える、項目１に記載の機器。
（項目１５）
上記拡張可能部材は、メッシュを備える、項目１に記載の機器。
（項目１６）
上記拡張可能部材は、それの非拡張構成にある際に、実質的に平坦である、項目１に記載の機器。
（項目１７）
上記拡張可能部材は、それの拡張構成にある際に、略台形である、項目１に記載の機器。
（項目１８）
上記拡張可能部材は、カバーを備える、項目１に記載の機器。
（項目１９）
上記カバーは、シリコーンを含む、項目１８に記載の機器。
（項目２０）
上記取付け部材のうちの１つ以上は、１つ以上の組織または合成材料を備える、項目１に記載の機器。
（項目２１）
上記取付け部材のうちの１つ以上は、メッシュを備える、項目１に記載の機器。
（項目２２）
上記取付け部材のうちの１つ以上は、ポリプロピレンを含む、項目１に記載の機器。
（項目２３）
上記取付け部材のうちの１つ以上は、固定部品を備える、項目１に記載の機器。
（項目２４）
上記取付け部材のうちの１つ以上は、上記固定部品を上記拡張可能部材に連結するための少なくとも１つの連結部材を備える、項目２３に記載の機器。
（項目２５）
上記第１および第２の取付け部材は、略長方形である、項目１に記載の機器。
（項目２６）
上記第１および第２の取付け部材は、各々、幅が約１ｃｍと約４ｃｍとの間であり、長さが約５ｃｍと約２０ｃｍとの間である、項目２５に記載の機器。
（項目２７）
上記取付け部材のうちの１つ以上は、組織の内部成長を促進する、項目１記載の機器。
（項目２８）
組織を支持するための機器であって、
身体組織に取付けるための少なくとも１つの取付け部材と、
該少なくとも１つの取付け部材に連結される少なくとも１つの非膨張式の拡張可能部材であって、非拡張構成および拡張構成を有する、拡張可能部材と、
を備え、それの拡張構成における該拡張可能部材は、該組織に支持を提供するように構成される、機器。
（項目２９）
上記組織は、尿道組織である、項目２８に記載の機器。
（項目３０）
上記拡張可能部材は、該拡張可能部材への少なくとも１つの刺激の適用時に、それの非拡張構成からそれの拡張構成に変化するように構成される、項目２８に記載の機器。
（項目３１）
上記少なくとも１つの刺激は、温度変化、ｐＨ変化、光学的刺激、およびそれらの組み合わせから成る群から選択される、項目２８に記載の機器。
（項目３２）
上記少なくとも１つの刺激は、ＲＦエネルギー、マイクロ波エネルギー、電気エネルギー、磁気エネルギー、機械的エネルギー、およびそれらの組み合わせから成る群から選択される、項目２８に記載の機器。
（項目３３）
組織を支持するための機器であって、
身体組織に取付けるための少なくとも１つの取付け部材と、
少なくとも１つの非膨張式の拡張可能部材であって、非拡張構成および拡張構成を有する、拡張可能部材と
を備え、該少なくとも１つの取付け部材は、該拡張可能部材を拡張するために、初期の力を引張力に変換するように構成される、機器。
（項目３４）
１つ以上の取付け部材と、その間の非膨張式の形状変化部分とを備え、
該形状変化部分は、第１の構成および第２の構成を有し、該第２の構成は、該第１の構成とは異なる形状を有し、
該形状変化部分は、該形状変化部分への少なくとも１つの刺激の適用時に、該第１の構成から該第２の構成に変化し、
該少なくとも１つの刺激は、該１つ以上の取付け部材によって提供されない、吊り紐。
（項目３５）
上記形状変化部分は、上記少なくとも１つの刺激の適用時に、長さが増加する部材を備える、項目３４に記載の機器。
（項目３６）
上記形状変化部分は、上記少なくとも１つの刺激の適用時に、長さが減少する部材を備える、項目３４に記載の機器。
（項目３７）
上記少なくとも１つの刺激のうちの１つ以上は、温度変化、ｐＨ変化、光学的刺激、およびそれらの組み合わせから成る群から選択される、項目３４に記載の機器。
（項目３８）
上記少なくとも１つの刺激のうちの１つ以上は、ＲＦエネルギー、マイクロ波エネルギー、電気エネルギー、磁気エネルギー、機械的エネルギー、およびそれらの組み合わせから成る群から選択される、項目３４に記載の機器。
（項目３９）
上記少なくとも１つの刺激のうちの１つ以上は、物理的な力である、項目３４に記載の機器。
（項目４０）
上記形状変化部分は、第１および第２の形状記憶材料を含む、項目３４に記載の機器。
（項目４１）
上記少なくとも１つの刺激は、第１の刺激および第２の刺激を含み、上記形状変化部分は、上記第１の形状記憶材料への該第１の刺激の適用時に、上記第１の構成から上記第２の構成に変化し、該形状変化部分は、上記第２の形状記憶材料への該第２の刺激の適用時に、該第２の構成から該第１の構成に変化する、項目４０に記載の機器。
（項目４２）
上記形状変化部分は、板バネを備える、項目３４に記載の機器。
（項目４３）
上記形状変化部分は、ニッケル−チタン合金を含む、項目３４に記載の機器。
（項目４４）
患者における組織を支持するための方法であって、該方法は、
機器を該患者に埋め込むことを含み、
該機器は、第１および第２の取付け部材と、その間に配置される少なくとも１つの拡張可能部材とを備え、該拡張可能部材は、非拡張構成および拡張構成を有し、該少なくとも１つの拡張可能部材は、該取付け部材のうちの１つ以上への力の適用によって、それの非拡張構成からそれの拡張構成に変化し、
該少なくとも１つの拡張可能部材は、該組織の下に配置される、方法。
（項目４５）
上記組織は、尿道組織である、項目４４に記載の方法。
（項目４６）
上記取付け部材のうちの１つ以上を軟組織に取付けることをさらに含む、項目４４に記載の方法。
（項目４７）
上記取付け部材のうちの１つ以上を骨盤骨構造に取付けることをさらに含む、項目４４に記載の方法。
（項目４８）
上記機器を埋め込むことは、経膣手法を使用して、該機器を埋め込むことを含む、項目４４に記載の方法。
（項目４９）
上記機器を埋め込むことは、経会陰手法を使用して、該機器を埋め込むことを含む、項目４４に記載の方法。
（項目５０）
上記機器を埋め込むことは、第１の閉鎖孔を通して上記第１の取付け部材を通過させることと、第２の閉鎖孔を通して上記第２の取付け部材を通過させることとを含む、項目４４に記載の方法。
（項目５１）
上記機器を埋め込むことは、上記第１の取付け部材の端部を第１の閉鎖孔の内部または外部の組織に固定することと、上記第２の取付け部材の端部を第２の閉鎖孔の内部または外部の組織に固定することとを含む、項目４４に記載の方法。
（項目５２）
上記機器を埋め込むことは、上記第１および第２の取付け部材の各々の少なくとも一部分が恥骨後隙に配置されるように該機器を配置することを含む、項目４４に記載の方法。
（項目５３）
上記機器を埋め込むことは、上記第１および第２の取付け部材の各々の少なくとも一部分が恥骨前隙に配置されるように、該機器を配置することを含む、項目４４に記載の方法。
（項目５４）
患者における組織を支持するための方法であって、該方法は、
機器を該患者に埋め込むことを含み、
該機器は、身体組織に取付けるための少なくとも１つの取付け部材と、該少なくとも１つの取付け部材に連結される少なくとも１つの非膨張式の拡張可能部材とを備え、該拡張可能部材は、非拡張構成および拡張構成を有し、それの拡張構成における該拡張可能部材は、該組織に支持を提供するように構成される、方法。
（項目５５）
上記組織は、尿道組織である、項目５４に記載の方法。
（項目５６）
患者の尿失禁を治療するための方法であって、該方法は、
機器を該患者に埋め込むことを含み、
該機器は、身体組織に取付けるための少なくとも１つの取付け部材と、少なくとも１つの非膨張式の拡張可能部材であって、非拡張構成および拡張構成を有する、拡張可能部材とを備え、該少なくとも１つの取付け部材は、該拡張可能部材を拡張させるために、初期の力を引張力に変換するように構成される、方法。
（項目５７）
上記機器を上記埋め込むことは、上記拡張可能部材を尿道組織の下に配置することを含む、項目５６に記載の方法。
（項目５８）
組織を支持するための方法であって、該方法は、
機器を埋め込むことを含み、
該機器は、１つ以上の取付け部材と、その間に非膨張式の形状変化部分とを備え、
該形状変化部分は、第１の構成および第２の構成を有し、該第２の構成は、該第１の構成とは異なる形状を有し、
該形状変化部分は、該形状変化部分への刺激の適用時に、該第１の構成から該第２の構成に変化し、
該刺激は、該１つ以上の取付け部材によって提供されない、方法。